(57)【要約】【課題】ＯＳＤを合成してから、録画用解像度変換を行うと、録画目的のみの使用であっても、高解像度ＯＳＤデータを読み出す必要があり、低電力化出来ない。【解決手段】録画目的のみにＯＳＤを使用する場合には、ＯＳＤ用のフレームメモリ上で録画用解像度にしておき、録画用解像度変換後の映像との合成を行う。この構成によりメモリアクセスを抑え、低電力化が図れる。また、外部入力端子を持つデジタル放送受信機において、使用メモリの低コスト化を実現する。【選択図】図１
2006191345.tif 000002
【特許請求の範囲】
【請求項１】
表示用映像出力と録画用映像出力を備えたデジタル放送受信機において、デジタルテレビジョン放送を復号し、放送映像信号を出力する映像復号部と、前記放送映像信号に多重されている情報信号に基づいてオンスクリーン信号を出力するオンスクリーン信号生成部と、前記放送映像信号と前記オンスクリーン信号を合成する第一の映像合成部と、前記放送映像信号または前記映像合成部の出力のどちらかを表示用映像出力として出力する第一の切り替え部と、前記放送映像信号または前記映像合成部の出力のどちらかを出力する第二の切り替え部と、前記第二の切り替え部の出力に対して録画用解像度変換を行うフォーマット変換部と、前記フォーマット変換部の出力に対して録画用のみに生成されたオンスクリーン信号を合成する第二の映像合成部と、前記フォーマット変換部の出力または前記第二の映像合成部の出力のどちらかを録画用映像出力として出力する第三の切り替え部を持つことを特徴とするデジタル放送受信機。
【請求項２】
垂直ブランキング期間を利用して、ＯＳＤ解像度変換を上記フォーマット変換手段にて実施することを特徴とする請求項１記載のデジタル放送受信機。
【発明の詳細な説明】
【技術分野】
【０００１】
本発明は、表示用および録画用出力を持つデジタル放送受信機に関するものである。
【背景技術】
【０００２】
近年、高画質化、多チャンネル化、高機能化を目的として、テレビジョン放送のデジタル化が進められている。このデジタル放送では、デジタル化された動画像の圧縮符号化方式としてＭＰＥＧ（Ｍｏｖｉｎｇ  Ｐｉｃｔｕｒｅ  Ｅｘｐｅｒｔｓ  Ｇｒｏｕｐ）２方式が採用され、これまでに日本においては、ＢＳデジタル放送、ＣＳデジタル放送、地上波デジタル放送が開始されている。高機能化の一例として、日本で実施されているデジタル放送では、データ放送、字幕などの情報信号を映像信号に重畳して表示する規格が採用されており、受信機では、オンスクリーンディスプレイ信号（以下、ＯＳＤ信号と記す）等を使用して表示する。例えば、データ放送ではニュース情報や、天気予報などの情報を得ることが可能である。
【０００３】
高画質化という観点では、デジタル放送の映像信号フォーマットとしては、ＳＤ（Ｓｔａｎｄａｒｄ  Ｄｅｆｉｎｉｔｉｏｎ）映像（５２５Ｐや５２５Ｉフォーマット等）に加え、ＨＤ（Ｈｉｇｈ  Ｄｅｆｉｎｉｔｉｏｎ）映像（１１２５Ｉや７５０Ｐフォーマット等）を扱う必要がある。以下の（非特許文献１）を参照して、図４に映像フォーマットと情報表示に使用するグラフィックデータの論理解像度の関係を示す。
【０００４】
図４に示すように、映像信号フォーマットが高解像度で定義された場合には、グラフィックデータ解像度も同様に高解像度である。
【０００５】
一方、以下の（特許文献１）にあるように、ユーザーはデジタル放送受信機の出力を単に視聴する目的だけではなく、録画用途にも使用する。前述したように、映像信号フォーマットとしては、ＨＤ信号も定義されている一方、録画機用の出力としては、広く普及しているＶＴＲ機器を想定すれば、ＳＤ信号またはＮＴＳＣ信号を出力する機能が必要であり、ＨＤの映像信号であってもＳＤ信号解像度にフォーマット変換して出力する必要がある。
【０００６】
（特許文献１）では、ＯＳＤ信号を番組表やメニュー表示用途を想定し、録画用映像出力には、ＯＳＤ信号を重畳しない発明が公開されている。前述したように、ＯＳＤ信号は、データ放送や、字幕情報にも使用されるため、ユーザによっては、ＯＳＤ信号も含めて録画用信号として利用することが想定される。
【０００７】
図６にこの想定に基づいた、デジタル放送受信機の構成を示す。デジタル放送の電波をアンテナ（図示せず）で受信されたＲＦ信号は、チューナ１００において選局され、デジタル復調処理を行った後、トランスポートストリームとして、ＴＳデコーダ２００に与えられる。ＴＳデコーダ２００は、指定されたＰＩＤ（Ｐｒｏｇｒａｍ  ＩＤ）を持つトランスポートストリーム信号を選択して出力し、映像復号部３００および音声復号部４００に与えられる。
【０００８】
映像復号部３００では、ＭＰＥＧデコードなどの映像復号化処理が実施され、放送映像信号が出力される。音声復号部４００では、復号化後、音声信号として出力される。データ放送や字幕用のデータは、ＴＳデコーダ２００の出力をシステム制御部８００が、プログラムやフォントデータ格納用のＲＯＭ８０１やプログラム実行作業用のＲＡＭ８０２を使用しながら、グラフィックデータとして展開し、ＯＳＤ用メモリ７００に格納する。
【０００９】
表示用映像出力にＯＳＤ信号を重畳する場合には、ＯＳＤ用メモリ７００から読み出されたＯＳＤ信号と映像復号部３００の放送映像信号とを映像合成部５００において合成する。表示用映像出力は、ユーザがＯＳＤ信号を要求するかしないかによって、映像復号部３００または、映像合成部５００の出力を第一の切り替え部９００によって選択した後、出力される。同様に録画用映像出力のために、ユーザがＯＳＤ信号を要求するかしないかによって、映像復号部３００または、映像合成部５００の出力を第二の切り替え部９０１によって選択した後、映像信号フォーマットがＨＤ信号であればフォーマット変換部でＳＤ信号に変換して録画用映像出力として出力される。ユーザは、表示用、録画用それぞれの出力に対して、ＯＳＤ信号を付加するかどうかを選択可能であるが、ＯＳＤ信号はユーザの選択如何にかかわらず、常に映像フォーマットと基づいた解像度でＯＳＤ用メモリから出力される構成となっていた。
【特許文献１】特開平１０−３３６６０３号公報
【非特許文献１】社団法人  電波産業会  デジタル放送におけるデータ放送符号化方式と伝送方式  標準規格  ＡＲＩＢ  ＳＴＤ−Ｂ２４
【発明の開示】
【発明が解決しようとする課題】
【００１０】
データ放送や字幕などの情報信号も放送されるデジタル放送受信機において、録画用出力のみにＯＳＤ信号を使用する場合でも、常に映像フォーマットと基づいた解像度でＯＳＤ用メモリから出力されるため、メモリアクセスが変わらず低消費電力化出来ないという問題があった。
【課題を解決するための手段】
【００１１】
（１）ユーザが録画用出力のみにＯＳＤ出力付加を要求した場合には、ＯＳＤフレームメモリ上で録画用解像度に変換しておき、放送映像信号のフォーマット変換後に映像合成を実施することで、ＯＳＤ信号の読み出し用のメモリアクセスを抑えることで低電力化が可能となる。
【００１２】
（２）ＯＳＤ信号の録画用解像度変換をフォーマット変換処理部の垂直ブランキング期間を利用して実施することで、ソフトウエア負荷の増大をおさえながら、上記（１）の低電力化が可能となる。
【発明の効果】
【００１３】
本発明において解決しようとする問題点は、電力を削減可能なデジタル放送受信機の実現に効果がある。
【発明を実施するための最良の形態】
【００１４】
本発明は、ユーザが録画用出力のみにＯＳＤ出力付加を要求した場合には、ＯＳＤフレームメモリ上で録画用解像度に変換しておき、放送映像信号のフォーマット変換後に映像合成を実施することを最も主要な特徴とする。メモリアクセスを抑えることで、低電力化を実現した。
【実施例１】
【００１５】
図１は、本発明装置の１実施例のデジタル放送受信機の構成図である。図１において、デジタル放送の電波をアンテナ（図示せず）で受信されたＲＦ信号をチューナ１００において選局するところから、第一の切り替え部、第二の切り替え部の出力までおよび、音声復号部出力までは、従来技術の例で説明したものと同じであるため、省略する。映像合成２部５０１は、フォーマット変換部６００の出力とＯＳＤ用メモリ７００からのＯＳＤ信号を合成する。第３の切り替え部９０２は、映像合成２部５０１とフォーマット変換部６００のいずれかの出力を選択し、録画用映像を出力する。
【００１６】
図１、図２、図４を用いて、より詳細な動作例を説明する。図２は、ユーザのＯＳＤ信号付加要求と表示用出力、録画用出力の組み合わせにより４つの動作モードがあり、各動作モード時の第一、第二、第三の切り替え部の選択内容を定義している。以下、各動作モードについて説明する。動作モード１は、表示用出力、録画用出力ともＯＳＤ信号を重畳する場合である。ＯＳＤ信号と合成された映像合成１の出力を第一の切り替え部、第二の切り替え部とも選択し、第三の切り替え部はフォーマット変換出力を選択することでユーザ要求を実現する。動作モード２は、表示用出力のみにＯＳＤ信号を重畳する場合である。第一の切り替え部は、動作モード１と同様に映像合成１部の出力を選択する。第二の切り替え部は、映像復号部３００の出力を選択することでユーザ要求を実現する。第三の切り替え部は、フォーマット変換部６００の出力を選択する。動作モード３は、今回の発明の特徴である、録画用出力のみにＯＳＤ信号を重畳する場合である。第一の切り替え部は、映像復号部３００の出力を選択する。第二の切り替え部も第一の切り替え部と同様に映像復号部３００の出力を選択する。映像信号フォーマットがＨＤ信号の場合には、システム制御部８００が、プログラムやフォントデータ格納用のＲＯＭ８０１やプログラム実行作業用のＲＡＭ８０２を使用しながら、グラフィックデータとして展開されたＯＳＤ用データは、図４の表に従えば、映像信号フォーマットがＨＤである場合には、同様にＨＤの解像度を持つ。システム制御部８００は、このデータをフォーマット変換部６００の出力と同じであるＳＤ解像度に解像度変換を実施した上で、ＯＳＤ用メモリ７００に格納する。映像合成２部５０１では、フォーマット変換されたＳＤ解像度の放送用映像信号と、ＯＳＤ用メモリ７００の格納されているＳＤ解像度のＯＳＤ信号を合成し出力する。第三の切り替え部９０２は、映像合成２部の出力を選択することでユーザ要求を実現する。動作モード３において、映像信号フォーマットがＨＤであった場合には、ＯＳＤ用メモリから出力されるＯＳＤデータの信号量比率は、１映像フレーム期間において、映像合成１部で合成した場合と比較すると、
７２０ｘ４８０／１９２０ｘ１０８０  ＝  １／６
となり、メモリアクセス総量が１／６に低減されることが明らかである。
【００１７】
これによって、ユーザが録画用のみにＯＳＤ信号を重畳することを要求した場合の低電力が可能となる。動作モード４は、表示用出力、録画用出力ともＯＳＤ信号を重畳しない場合である。第一の切り替え部は、映像復号部出力を選択し、第二の切り替え部も映像復号部出力を選択する。第三の切り替え部は、フォーマット変換部出力を選択することでユーザ要求を実現する。以上説明してきたように、本実施例によって動作モードに従って、低電力化が実現できる。
【実施例２】
【００１８】
図２、図３、図５を用いて、本発明の実施例２を説明する。図３は本発明装置の１実施例を示すデジタル放送受信機の構成図であるが、フォーマット変換部６００以外の動作は実施例１とほぼ同じであるため説明を省略し、フォーマット変換部６００を中心に説明する。
【００１９】
（実施例１）で説明した図２の動作モード３において、ＯＳＤ信号の解像度変換を実施する場合に、（実施例１）では、システム制御部８００によって、ＯＳＤデータをフォーマット変換部６００の出力と同じであるＳＤ解像度に解像度変換を実施する例を説明した。この場合、図２に示す動作モード３のみのために、解像度変換を実施するプログラムが必要であり、ソフトウエア負荷が増大する。
【００２０】
一方、フォーマット変換部６００は、有効映像信号期間内の映像信号についてフォーマット変換を実施すればよい。図５は、垂直同期信号間のフォーマット変換動作期間のタイミングを説明する模式図である。図５に示すように垂直ブランキング期間内では、フォーマット変換動作をする必要がない。そこで本発明では、この垂直ブランキング期間内の時間に着目し、図５に示すように垂直ブランキング期間内を利用してＯＳＤ解像度変換処理を実施させる。
【００２１】
フォーマット変換部６００は、垂直ブランキング期間内にシステム制御８００によってＲＡＭ８０２に展開された高解像度のＯＳＤ信号を入力し、解像度変換を実施し、ＲＡＭ８０２に書き戻す。ＯＳＤ信号は、放送用映像信号と異なり、垂直同期信号ごとに更新する必要はなく、複数の垂直同期信号期間をまたがって作成してもよい。このため、図５に示すように何回かの垂直ブランキング期間を使用しながらＯＳＤ信号の解像度変換を実施することが可能である。解像度変換実施後に、ＯＳＤ用メモリ７００にＯＳＤ信号を転送することで、ＯＳＤ信号の重畳が可能となる。
【００２２】
以上説明してきたように、本実施例によればソフトウエア負荷の増大なく、低電力化が実現できる。
【産業上の利用可能性】
【００２３】
本発明のデジタル放送受信機は、ユーザが録画用出力のみにＯＳＤ出力付加を要求した場合には、ＯＳＤフレームメモリ上で録画用解像度に変換しておき、放送映像信号のフォーマット変換後に映像合成を実施することで、ＯＳＤ信号の読み出し用のメモリアクセスを抑えることで低電力化が可能となる。
【００２４】
また、ＯＳＤ信号の録画用解像度変換をフォーマット変換処理部の垂直ブランキング期間を利用して実施することで、ソフトウエア負荷の増大をおさえながら、低電力化が可能となる。以上のように電力を削減可能なデジタル放送受信機の実現が可能となる。
【図面の簡単な説明】
【００２５】
【図１】本発明の第一の実施の形態を示すデジタル放送受信機のブロック図
【図２】動作モードごとの第一、第二、第三切り替え部の出力を示す図
【図３】本発明の第二の実施の形態を示すデジタル放送受信機のブロック図
【図４】映像フォーマットとグラフィック解像度との関係を示す対応図
【図５】本発明の第二の実施の形態におけるフォーマット変換部の動作切り替えタイミング例を示す模式図
【図６】本発明を使用しないデジタル放送受信機のブロック図
【符号の説明】
【００２６】
１００    チューナ
２００    ＴＳデコーダ
３００    映像復号部
４００    音声復号部
５００    映像合成１部
５０１    映像合成２部
６００    フォーマット変換部
７００    ＯＳＤ用メモリ
８００    システム制御部
８０１    ＲＯＭ
８０２    ＲＡＭ
９００    第一の切り替え部
９０１    第二の切り替え部
９０２    第三の切り替え部
【図１】
2006191345.tif 000003
【図２】
2006191345.tif 000004
【図３】
2006191345.tif 000005
【図４】
2006191345.tif 000006
【図５】
2006191345.tif 000007
【図６】
2006191345.tif 000008